(57)【要約】オトスコープ８００は、医者が患者の外耳穴を検査することができるレンズ８０２とアイピース８０１を含む。オトスコープは、医者が見る画像の瞬間的なパーマネントレコードを提供するプリンタが位置するハンドル８０３を含む。トリガ８１７のアクティブ化に、スロット８０４を通してハンドル８０３から通過する薄板８１６の上へ、永久的なグラフィックイメージが印刷される。【選択図】図１２
2004524880.tif 000002
【特許請求の範囲】
【請求項１】
オトスコープで受信されるように、外耳穴のグラフィック画像を印刷するためのビルトインプリンタを有する、ハンドヘルドのオトスコープ。
【請求項２】
プリンタがオトスコープのハンドルに作られる請求項１に記載のオトスコープ。
【請求項３】
プリントヘッドを制御するプリントエンジンコントローラに関連するイメージセンサを含む請求項１に記載のオトスコープ。
【請求項４】
プリント媒体輸送のためのモータドライバとプリント画像をプリント媒体のローラから切り離すためのギロチンモータの操作のためのモータドライバとを制御するために適合されたマイクロ制御回路が、イメージセンサとプリントエンジンコントローラと関連された請求項３に記載のオトスコープ。
【請求項５】
画像メモリがプリントエンジンコントローラと関連する請求項３に記載のオトスコープ。
【請求項６】
プリントヘッドがモノリシックページワイドプリントヘッドである請求項３に記載のオトスコープ。
【請求項７】
プリントヘッドがインクジェット式のプリントヘッドである請求項３に記載のオトスコープ。
【請求項８】
オトスコープを手にした医者が観察するために患者の外耳穴を照らす光源を含む請求項１〜７のいずれか１項に記載のオトスコープ。
【請求項９】
プリンタが第１及び第２のサブアセンブリを含むプリントエンジンアセンブリを含み、第１のサブアセンブリがインクソースとプリント媒体を組み込み、第２のサブアセンブリがプリントヘッドを組み込んだ、請求項１に記載のオトスコープ。
【発明の詳細な説明】
【技術分野】
【０００１】
以下の発明は、ビルトインイメージセンサと内部プリントエンジンを有するデバイスに関する。より詳細には、本発明は内部プリンタを有するオトスコープに関する。
【背景技術】
【０００２】
従来のオトスコープは、医者が患者の外耳穴を観察するアイピースに関するレンズを含む。このようなデバイスは、医者が見るために外耳穴を照らす電池式の光源を含む。
【発明の開示】
【発明が解決しようとする課題】
【０００３】
外耳穴の外観のパーマネントグラフィックレコードが、安価且つ即座に提供されるならば、それは、医者と患者に有益である。これは、オトスコープで医者が観察するとき、外耳穴のグラフィック画像を印刷するのに適合した内部プリンタを有するハンドヘルドオトスコープで達成されるだろう。
【課題を解決しようとする手段】
【０００４】
オトスコープで受信されるように、外耳穴のグラフィック画像を印刷するための、ビルトインプリンタを有するハンドヘルドのオトスコープが、本明細書で開示される。
【０００５】
好ましくは、プリンタはオトスコープのハンドルに組み付けられる。
【０００６】
好ましくは、オトスコープは、印刷ヘッドを制御するプリントエンジンコントローラと関連したイメージセンサを含む。
【０００７】
好ましくは、マイクロ制御回路は、イメージセンサとプリントエンジンコントローラと関係しており、プリントの画像をプリント媒体のローラから切り離すためにギロチンモータの操作のためにプリント媒体輸送とモータドライバのためにモータドライバを制御するために適合される。
【０００８】
好ましくは、画像メモリはプリントエンジンコントローラと関連される。
【０００９】
好ましくは、印刷ヘッドはモノリシックページワイド印刷ヘッドである。
【００１０】
好ましくは、印刷ヘッドはインクジェット式の印刷ヘッドである。
【００１１】
好ましくは、オトスコープは、医者がオトスコープで見るために患者の外耳穴を照らすための光源を含む。
【００１２】
好ましくは、プリンタは第１及び第２サブアセンブリを含むプリントエンジンアセンブリを含み、第１のサブアセンブリは、インクソースとプリント媒体を組み込んでおり、第２のサブアセンブリは印刷ヘッドを組み込んでいる。
【発明を実施するための最良の形態】
【００１３】
本発明を、次に添付図面を参照して一例として説明する。
【００１４】
添付図面の図１〜１０で、引用符号５００は、本発明に従ったプリントエンジンを広く示す。プリントエンジン５００は、プリントロールカートリッジ５０４が除去可能に取り付けられたプリントエンジンアセンブリ５０２を含む。
【００１５】
プリント用カートリッジ５０４は、我々の継続出願ＰＣＴ／ＡＵ００／００７４１及びＰＣＴ／ＡＵ００／７４２でさらに詳細に説明され、その開示の内容は、特に本明細書に援用されている。
【００１６】
プリントエンジンアセンブリ５０２は、第１のサブアセンブリ５０６と第２の印刷ヘッドサブアセンブリ５０８とを含む。
【００１７】
サブアセンブリ５０６は、シャシ５１０を含む。シャシ５１０は、インク給水路５１４が形作られる第１の成型品品５１２を含む。インク給水路５１４は、プリント用カートリッジ５０４から、印刷ヘッドサブアセンブリ５０８の印刷ヘッド５１６（図５〜７）までインクを供給する。印刷ヘッド５１６は、４色または３色、さらに赤外線光スペクトルのみで可視であるインク（以下『赤外線インク』という）で印刷する。したがって、４つのインク給水路５１４は、給気チャネル５１８と共に成型品品５１２で規定される。給気チャネル５１８は、印刷ヘッド５１６のノズルガード上で、異質の粒子のビルドアップを禁止するために印刷ヘッド５１６に空気を供給する。
【００１８】
シャシ５１０は、カバー成型品品５２０をさらに含む。カバー成型品品５２０は、その上にポンプ５２２を支援する。ポンプ５２２は、吸上げポンプであり、それは、空気吸込み口ピン５２４と空気吸込み口開口５２６によってプリント用カートリッジ５０４でエアフィルタを通して空気を吸引する。空気は、シャシ５１０の給気チャネル５１８に、出口開口５２８を通して放出される。
【００１９】
シャシ５１０は、ステッパモータ５３０の形で第１のドライブモータをさらに支援する。ステッパモータ５３０は、第１のギアトレイン５３２によってポンプ５２２を駆動する。ステッパモータ５３０は、また、第二速ギアトレイン５３８によってプリント用カートリッジ５０４のローラアセンブリ５３６のドライブローラ５３４（図５）に接続される。ギアトレイン５３８は、ドライブローラ５３４の端部で支えられる係合可能部材５４０（図２）を係合する。ステッパモータ５３０は、ゆえにサブアセンブリ５０８の印刷ヘッド５１６に、プリント媒体５４２の送りを制御し、それが印刷ヘッド５１６の下を通過するとき、画像がプリント媒体５４２に印刷されることができるようにする。ステッパモータ５３０がプリント媒体５４２を前進させるために作動されるだけであるので、プリント媒体５４２にプリンティングが起こるとき、ポンプ５２２は、プリントヘッド５１６の上に空気に吹きつけるためだけに操作可能であることに注意をされたい。
【００２０】
シャシ５１０の成型品品５１２も、インク給水路５１４と連絡しているピン５４４の形で、複数のインク供給コンジットを支持している。インク供給ピン５４４は、印刷ヘッド５１６に供給されるプリント用カートリッジ５０４内のインクチャンバまたはリザーバ５４８（図５）から、製図用インクのためにプリント用カートリッジ５０４のエラストマー系カラーアセンブリ５４６を通して受容される。
【００２１】
ＤＣモータである第２のモータ５５０は、クリップ５５２によってシャシ５１０のカバー成型品品５２０で支えられる。画像がその上に印刷されたあと、プリント媒体の残りから、モータ５５０がプリント媒体５４２のピースを分けるために、カッタアームアセンブリ５５４の形で分離手段を駆動するために提供される。モータ５５０は、その出力軸の上で斜角を付けられたギア５５６を支える。ベベルギア５５６は、カッタアセンブリ５５４のウォームギヤ５６０の上で支えられるベベルギア５５８とかみ合う。ウォームギヤ５６０は、印刷ヘッドサブアセンブリ５０８のシャシベースプレート５６４で、軸受５６２によって回転可能に支持される。
【００２２】
カッタアセンブリ５５４はカッタホイール５６６を含み、マウンティングブロック５７０の上で弾性的に可撓性アーム５６８で支持される。ウォームギヤ５６０は、ウォームギヤ５６０が回転されるとき、マウンティングブロック５７０とカッタホイール５６６が、シャシベースプレート５６４と逆に動くようにマウンティングブロック５７０中を通過する。マウンティングブロック５７０は、ベースプレート５６４のリップ５７２に対して耐え、ウォームギヤ５６０と関連してマウンティングブロック５７０の回転を禁止する。さらに、プリント媒体５４２の切断に効果を与えるように、カッタホイール５６６は、印刷ヘッドサブアセンブリ５０８の上部ハウジングまたはキャップ部分５７４に対して耐える。このキャップ部分５７４は、金属部分である。ゆえに、カッタホイール５６６がキャップ部分５７４を横切るとき、はさみ様の切断作用が、画像が印刷されたプリント媒体５４２の部分を分離するためにプリント媒体に与えられる。
【００２３】
サブアセンブリ５０６は、エジェクタエンジン５７６を含む。エジェクタエンジン５７６が、シャシ５１０上で支えられ、クリップ５８０を有するカラー５７８を有し、それは、エジェクタエンジン５７６をシャシ５１０にクリップして貼り付ける。カラー５７８は、エラストマー系材料の差込み工具５８２を中に支える。エラストマー系差込み工具５８２は、複数の開口５８４を画成している。開口５８４はピン５４４の入口を閉鎖し、ピン５４４、そうすることでチャネル５１４と印刷ヘッド５１６への外部粒子の進入を禁止する。さらに、インサート５８４は、同じ目的のために空気吸込み口ピン５２４の入口開口を切り離すランドまたはプラットホーム５８６を規定する。
【００２４】
コイルばね５８８が、シャシ５１０とカラー５７８との間に配置され、カートリッジ５０４がプリントエンジン５００から除去されるとき、図３でより詳細に示すように、シャシ５１０に関してスペースを入れられた位置にカラー５７８が行くようにする。エジェクタエンジン５７６は、図４の引っ込められた位置で示される。
【００２５】
先に述べたように、印刷ヘッドサブアセンブリ５０８は、ベースプレート５６４を含む。カバーエンジン５９０は、印刷ヘッド５１６へまたそれから離れて転置可能なベースプレート５６４の上に着脱可能に支持される。キャッピングエンジン５９０は、キャリヤ５９３上に配置される細長いリブ５９２を含む。キャリヤは、変位エンジン５９４で支えられ、それは、印刷ヘッド５１６が動作不能の場合、印刷ヘッド５１６と当接するようにリブ５９２を変位させる。逆にいえば、印刷ヘッド５１６が操作可能なとき、変位エンジン５９４は、印刷ヘッド５１６との当接からリブ５９２を引っ込めるために使用可能である。
【００２６】
印刷ヘッドサブアセンブリ５０８は、印刷ヘッド５１６が取り付けられる印刷ヘッドサポート成型品５９６を含む。成型品５９６は、成型品５９６に配置されるインサート５９９と共に、画像がその上に印刷されることになっているとき、プリント媒体５４２が通過する通路５９８を規定する。みぞ７００は、キャッピングエンジン５９０がそのキャッピング位置にあるときキャッピングエンジン５９０が突き出す成型品５９６内に規定される。
【００２７】
インク送り構成７０２は、キャップ部分５７４の下でインサート５９９で支えられる。インク送り構成７０２は針部分７０４を含み、ケーシング７０６は針部分７０４に取り付けられた。針部分７０４とケーシング７０６は、それらの間に、印刷ヘッド５１６に通路７１０（図７）によって、インクを送るためにシャシ５１０でインク給水路５１４と連絡しているインクフィードギャラリー７０８を画成している。
【００２８】
プリントヘッド５１６と並んで、エアサプライチャネル７１１（図８）が、スパイン７０４内で画成される。
【００２９】
電気信号は、ＴＡＢフィルム７１２によって印刷ヘッド５１６に提供され、それは、インサート５９９とインクフィード構成７０２との間に保持される。
【００３０】
成型品５９６は、所定角度に曲げられた翼部分７１４を含む。フレキシブルプリント基板（ＰＣＢ）７１６は翼部分７１４に支持されて固定される。フレックスＰＣＢ  ７１６は、インサート５９９のリブ７１８によって、ＴＡＢフィルム７１２と係合するように動かされることによってＴＡＢフィルム７１２と電気的なコンタクトを作る。フレックスＰＣＢ  ７１６は、上にバスバー７２０を支持する。バスバー７２０は、プリントヘッド５１６にとプリントエンジン５００の他の電力を供給されたコンポーネントにパワーを提供する。さらに、カメラプリントエンジンコントロールチップ７２１は、ＱＡチップ（図示せず）と共にフレックスＰＣＢ  ７１６の上で支持され、それは、カートリッジ５０４が互換性を有してとプリントエンジン５００と対応することを認証する。この目的のために、ＰＣＢ  ７１６はコンタクト７２３を含む。そして、それはプリント用カートリッジ５０４でコンタクト７２５を係合する。
【００３１】
図７で、より明らかに示すように、プリントヘッドは、シリコンウェーハ７２４に配置されるノズルガード７２２を含む。インクは、インク供給部材７２６を介して、プリントヘッド５１６のノズルアレイ（図示せず）に供給される。インク供給部材７２６は、要求あり次第、プリントヘッド５１６のノズルのアレイに、インクを送るためにインクフィード構成７０２の通路７１０の出口を有する通信する。
【００３２】
図１０で、プリントヘッド５１６に空気を供給するための給気パスを、さらに詳細に示す。図示のように、ポンプ５２２はエンドキャップ７３０によって切り離されるインペラ７２８を含む。シャシのカバー成型品品５２０は、インペラ７２８のためのコンセント７３２を形成する。カバー成型品品５２０は、空気吸込み口開口７３４と空気吹出し口開口７３６を有する。空気吸込み口開口７３４は、ピン５２４と連通する。空気吹出し口開口７３６は、給気チャネル５１８に空気を送り、それは、図１０で、太い黒線が引かれている。給気チャネル５１８から送られる空気は、プリントヘッドの洗浄に影響するようにプリントヘッド５１６に吹きつけられる。ポンプ５２２によって引き込まれる空気はエアフィルタ７３８によって濾過される。そして、それはプリント用カートリッジ５０４で収容される。エアフィルタ７３８は、基礎を形成されてまたは他の好適ないくつかのろ材の作られる紙であるだろうフィルタエレメント７４０を有する。フィルタエレメント７４０は、ベース７４２とふた７４４を有するキャニスタに収容される。ふた７４４は、その中で画成される開口７４６を有する。ピン５２４によって突き通されるフィルム７４８によって、開口７４６は切り離される。プリント用カートリッジ５０４でエアフィルタ７３８を有する利点は、プリント用カートリッジ５０４が置き換えられるとき、エアフィルタ７３８が置き換えられるということである。
【００３３】
エアポンプ５２２がステッパモータ５３０によって駆動されることは、発明の利点であり、それは、プリントヘッド５１６にプリント媒体の供給も制御する。そのようにすることで、それをよりコンパクトしているプリントエンジン５００のために必要とされるコンポーネントはより少なくてよい。さらに、同じモータ５３０がエアポンプ５２２を作動するためにとプリントヘッド５１６にプリント媒体５４２を送るために使用されるとき、プリントエンジン５００に含まれるパワー消費コンポーネントはより少なく、よりコンパクト且つより安価に製造可能にしている。
【００３４】
プリントエンジン５００をよりコンパクトに作るために、プリントエンジンアセンブリ５０２のサイズは、アセンブリ５０２の大部分のコンポーネントがプリント用カートリッジ５０４の端部の設置面積内に受容されるようになっていることに注意されたい。
【００３５】
図１１で、内部プリンタを有するオトスコープのキー内部コンポーネントのブロック図を概略的に表す。プリンタは、一般的に図１〜１０に関して先に述べたものと同じものであろうモノリシックプリントヘッド８１４を利用するが、代わりに写真サイズにされたプリント媒体のプリンティングが可能な他のコンパクトプリントヘッドであろう。イメージセンサ８０６は、オトスコープのレンズ８０２（図１２）から、画像を受容する。プリントヘッド８１４を制御するプリントエンジンコントローラ８１３に、イメージセンサ８０６からの画像データが、送られる。メモリ８１５は、プリントエンジンコントローラと関係し、画像メモリをストアする。この画像メモリは、たとえばトリガ８１７の窪みにストアされるかもしれない。
【００３６】
イメージセンサとプリントエンジンコントローラと関連するマイクロコントローラ８０７は、交替で媒体搬送装置８１０を駆動するモータドライバ８０９を制御する。これは、前に説明したステッパモータ５３０と同じものであるかもしれない。
【００３７】
マイクロコントローラ８０７も、画像が印刷されたあと、プリントの薄板をプリント媒体のビルトインロールから切り離すために交替でギロチンモータ８１２を制御するモータドライバ８１１を制御する。媒体搬送装置８１０によって駆動されている薄板は、図１２で８１６で点線で示される。ギロチンは、前に説明したカッタホイール５６６の形かもしれない。
【００３８】
光源（図示せず）が、レンズ８０２に関連して提供され、アイピース８０１を通して見るために外耳穴を照らし、イメージセンサ８０６によって受容されるだろう。
【００３９】
使用中に、オトスコープ８００の医者保持ハンドル８０３は、レンズ８０２をその中で挿入した後に、外耳穴を見るためにアイピース８０１を使用する。準備ができているとき、トリガ８０７は、画像がメモリ８１５でストアされた画像をプリントするために、プリントエンジンコントローラを起動させるように下へ押されることができる。これは、媒体輸送８１０とギロチン８１２を起動させるために交替でマイクロコントローラ８０７を起動させる。スロット８０４を通してハンドル８０３から通過していたプリントの画像８１６は、次にパーマネントレコードと医者と患者に見られることができるようになる。
【００４０】
本発明の特別な実施形態が説明された一方、それは、当業者にとって、本発明がそうするだろうために、その重要な特性から離れることなく、他のいろいろな形で具体化されることが明らかである。本実施形態と実施例は、故にあらゆる点で解説用であって限定的でないものとみなされ、上述のもの説明よりむしろ添付の請求項によって示される本発明の範囲、と、意味内の来る全ての変化と請求項の等量の範囲は、故にその中で受け入れられるつもりである。従来技術として知られた、ここでのいかなる引用も、反対の表示が現れない限り、本発明が関連する技術に熟練した者によって、このようなその従来技術が一般に知られるたということを容認を構成しないことがさらに理解される。
【図面の簡単な説明】
【００４１】
【図１】図１は、本発明に従ったコンポーネントを含むプリントエンジンの３次元の図を示す。
【図２】図２は、プリントエンジンの３次元の分解図を示す。
【図３】図３は、プリントエンジンが除去された状態で使用される着脱自在のプリント用カートリッジを有する、プリントエンジンの３次元の図を示す。
【図４】図４は、点線で示されるプリント用カートリッジを有するプリントエンジンの３次元の後部図を示す。
【図５】図５は、プリントエンジンの３次元の部分図を示す。
【図６】図６は、プリントエンジンの印刷ヘッドサブアセンブリの３次元分解図を示す。
【図７】図７は、印刷ヘッドサブアセンブリの部分切取図を示す。
【図８】図８は、キャップがされた位置でのキャッピングエンジンを有する印刷ヘッドサブアセンブリの部分の端面図を示す。
【図９】図９は、キャップがされていない位置でのキャッピング位置での印刷ヘッドサブアセンブリを示す。
【図１０】図１０は、プリントエンジンの給気構成の３次元分解図を示す。
【図１１】図１１は、ビルトインプリンタをするオトスコープに組み込まれるコンポーネントの概略ブロック図である。
【図１２】図１２は、ハンドルに作られるプリンタを有するオトスコープの概略図斜視図である。
【国際公開パンフレット】
2004524880.tif 000003
2004524880.tif 000004
2004524880.tif 000005
2004524880.tif 000006
2004524880.tif 000007
2004524880.tif 000008
2004524880.tif 000009
2004524880.tif 000010
2004524880.tif 000011
2004524880.tif 000012
2004524880.tif 000013
2004524880.tif 000014
2004524880.tif 000015
2004524880.tif 000016
2004524880.tif 000017
2004524880.tif 000018
2004524880.tif 000019
2004524880.tif 000020
2004524880.tif 000021
2004524880.tif 000022
2004524880.tif 000023
2004524880.tif 000024
【国際調査報告】
2004524880.tif 000025